(57)【特許請求の範囲】
【請求項１】
長手方向を上下方向に向けた固定筒部を有する固定部材と、下端部が上記固定筒部に挿入されることによって立設された支柱と、この支柱の上端部に設けられた支持部材とを備え、上記支持部材にガスメータが取り付けられるガスメータの支持装置において、
上記固定筒部の上端部に、上下方向に延びる複数のスリットが上記固定筒部の周方向へ互いに離して形成されることにより、上記固定筒部の上端部が拡縮径可能とされ、
上記支柱に雌ねじ部材が上下方向へ移動可能に、かつ回動可能に外挿されるとともに、この雌ねじ部材が上記固定筒部の上端部に螺合され、
上記固定筒部と上記雌ねじ部材との間には、上記雌ねじ部材の上記固定筒部へのねじ込み伴って上記固定筒部の上記スリットが形成された上端部を縮径させて、上記固定筒部の内周面を上記支柱の外周面に環状に押し付け、それによって上記支柱を上記固定筒部に固定する固定機構が設けられ、
上記固定筒部及び上記雌ねじ部材の互いに螺合するねじ部の少なくとも一方が下方に向かって拡径するテーパねじ部とされ、このテーパねじ部と、上記固定筒部及び上記雌ねじ部材の互いに螺合するねじ部の他方とによって上記固定機構が構成され、
上記テーパねじ部が上記固定筒部に形成されたテーパ雄ねじ部であり、上記他方のねじ部が上記雌ねじ部材に形成され、かつ上記テーパ雄ねじ部に螺合可能なストレート雌ねじ部であることを特徴とするガスメータの支持装置。
【請求項２】
長手方向を上下方向に向けた固定筒部を有する固定部材と、下端部が上記固定筒部に挿入されることによって立設された支柱と、この支柱の上端部に設けられた支持部材とを備え、上記支持部材にガスメータが取り付けられるガスメータの支持装置において、
上記固定筒部の上端部に、上下方向に延びる複数のスリットが上記固定筒部の周方向へ互いに離して形成されることにより、上記固定筒部の上端部が拡縮径可能とされ、
上記支柱に雌ねじ部材が上下方向へ移動可能に、かつ回動可能に外挿されるとともに、この雌ねじ部材が上記固定筒部の上端部に螺合され、
上記固定筒部と上記雌ねじ部材との間には、上記雌ねじ部材の上記固定筒部へのねじ込み伴って上記固定筒部の上記スリットが形成された上端部を縮径させて、上記固定筒部の内周面を上記支柱の外周面に環状に押し付け、それによって上記支柱を上記固定筒部に固定する固定機構が設けられ、
上記固定筒部及び上記雌ねじ部材の互いに螺合するねじ部の少なくとも一方が下方に向かって拡径するテーパねじ部とされ、このテーパねじ部と、上記固定筒部及び上記雌ねじ部材の互いに螺合するねじ部の他方とによって上記固定機構が構成され、
上記テーパねじ部が上記雌ねじ部材に形成されたテーパ雌ねじ部であり、上記他方のねじ部が上記固定筒部に形成され、かつ上記テーパ雌ねじ部に螺合可能なストレート雄ねじ部であることを特徴とするガスメータの支持装置。
【請求項３】
上記固定機構が、上記固定筒部と上記雌ねじ部材とのいずれか一方に形成され、他方に突き当たることにより、上記雌ねじ部材の上記固定筒部へのねじ込みに伴って上記固定筒部を縮径させる傾斜面を有していることを特徴とする請求項１又は２に記載のガスメータの支持装置。
【請求項４】
上記固定部材の上記固定筒部内に位置する部位と、上記固定筒部に挿入された上記支柱の下端部との間には、テーパの求心作用によって上記支柱の下端部の軸線を上記固定筒部の軸線と一致させる求心機構が設けられていることを特徴とする請求項１〜３のいずれかに記載のガスメータの支持装置。
【発明の詳細な説明】
【技術分野】
【０００１】
この発明は、フレキシブルガス管が接続されたガスメータを支持するためのガスメータの支持装置に関する。
【背景技術】
【０００２】
フレキシブルガス管は、柔軟性を有しているので、配管を容易に行うことができるというメリットがある。その反面、フレキシブルガス管をガスメータに接続した場合には、フレキシブルガス管ではガスメータを支持することができないという問題がある。そこで、ガスメータにフレキシブルガスを接続する場合には、ガスメータを支持するための支持装置が用いられている。
【０００３】
従来のガスメータの支持装置としては、下記特許文献１に記載のものがある。この支持装置は、固定部材、支柱及び支持部材を備えている。固定部材は、上端が開口した断面円形の固定筒部を有しており、この固定筒部が鉛直に起立した状態で床面に固定される。固定筒部には、支柱の下端部が挿入される。また、固定筒部には、その周壁を貫通する止めねじが螺合されている。この止めねじを締め付けると、支柱の下端部が固定筒部の内周面に押し付けられる。これによって、支柱が上下に立った状態で固定筒部に固定される。支柱の上端部には、支持部材が取り付けられる。そして、支持部材によってガスメータが支持される。
【先行技術文献】
【特許文献】
【０００４】
【特許文献１】特開２００２−２４３５１９号公報
【発明の概要】
【発明が解決しようとする課題】
【０００５】
上記従来の支持装置においては、止めねじが支柱に点接触し、止めねじと１８０°反対側に位置する固定筒部の内周面と支柱の外周面とが上下に線接触しているだけである。つまり、固定筒部と支柱とは周方向へ１８０°離れた２箇所において接触しているだけである。このため、支柱の固定強度が低く、支柱が鉛直方向に対して若干ではあるが傾いてしまうという問題があった。支柱が傾くと、ガスメータの姿勢が正しい姿勢から外れてしまい、ガスの流量計測に誤差が生じるおそれがある。
【０００６】
なお、固定筒部の内径と支柱の外径との寸法差を小さくすることにより、支柱の傾きをほとんど無くすことができるが、そのようにすると、固定筒部の内径及び支柱の外径の寸法管理を厳しくしなければならず、固定筒部及び支柱の製造費が嵩む。その上、支柱を固定筒部に挿入し難くなり、ガスメータの設置に手間が掛かるという別の問題を招来してしまう。
【課題を解決するための手段】
【０００７】
この発明は、上記の問題を解決するために、長手方向を上下方向に向けた固定筒部を有する固定部材と、下端部が上記固定筒部に挿入されることによって立設された支柱と、この支柱の上端部に設けられた支持部材とを備え、上記支持部材にガスメータが取り付けられるガスメータの支持装置において、上記固定筒部の上端部に、上下方向に延びる複数のスリットが上記固定筒部の周方向へ互いに離して形成されることにより、上記固定筒部の上端部が拡縮径可能とされ、上記支柱に雌ねじ部材が上下方向へ移動可能に、かつ回動可能に外挿されるとともに、この雌ねじ部材が上記固定筒部の上端部に螺合され、上記固定筒部と上記雌ねじ部材との間には、上記雌ねじ部材の上記固定筒部へのねじ込み伴って上記固定筒部の上記スリットが形成された上端部を縮径させて、上記固定筒部の内周面を上記支柱の外周面に環状に押し付け、それによって上記支柱を上記固定筒部に固定する固定機構が設けられていることを特徴としている。
この場合、  上記固定筒部及び上記雌ねじ部材の互いに螺合するねじ部の少なくとも一方が下方に向かって拡径するテーパねじ部とされ、このテーパねじ部と、上記固定筒部及び上記雌ねじ部材の互いに螺合するねじ部の他方とによって上記固定機構が構成されていてもよい。
上記テーパねじ部が上記固定筒部に形成されたテーパ雄ねじ部であり、上記他方のねじ部が上記雌ねじ部材に形成され、かつ上記テーパ雄ねじ部に螺合するテーパ雌ねじ部であってもよく、上記テーパねじ部が上記固定筒部に形成されたテーパ雄ねじ部であり、上記他方のねじ部が上記雌ねじ部材に形成され、かつ上記テーパ雄ねじ部に螺合可能なストレート雌ねじ部であってもよく、あるいは上記テーパねじ部が上記雌ねじ部材に形成されたテーパ雌ねじ部であり、上記他方のねじ部が上記固定筒部に形成され、かつ上記テーパ雌ねじ部に螺合可能なストレート雄ねじ部であってもよい。
上記固定機構が、上記固定筒部と上記雌ねじ部材とのいずれか一方に形成され、他方に突き当たることにより、上記雌ねじ部材の上記固定筒部へのねじ込みに伴って上記固定筒部を縮径させる傾斜面を有しているものであってもよい。
上記固定部材の上記固定筒部内に位置する部位と、上記固定筒部に挿入された上記支柱の下端部との間には、テーパの求心作用によって上記支柱の下端部の軸線を上記固定筒部の軸線と一致させる求心機構が設けられていることが望ましい。
【発明の効果】
【０００８】
この発明に係るガスメータ用支持装置によれば、雌ねじ部材を締め付けると、固定筒部の上端部が弾性的に縮径する。その結果、固定筒部の内周面が、スリットの部分を除いて、支柱の外周面に全周にわたって環状に押圧接触する。しかも、固定筒部の上端部が弾性変形することにより、固定筒部の内周面は、支柱の外周面に対し上下方向へ所定の長さをもって押圧接触する。このように、固定筒部の内周面と支柱の外周面とを環状に、しかも上下方向へ所定の長さをもって押圧接触させることができるので、固定筒部による支柱に対する固定強度を向上させることができる。よって、支柱が鉛直方向に対して傾くことを防止することができる。
【図面の簡単な説明】
【０００９】
【図１】図１は、この発明の第１実施の形態を示す正面図である。
【図２】図２は、同実施の形態の一部を省略して示す一部切欠き側面図である。
【図３】図３は、同実施の形態の要部を拡大して示す断面図である。
【図４】図４は、同実施の形態において用いられている固定部材の正面図である。
【図５】図５は、図４のＸ−Ｘ線に沿う断面図である。
【図６】図６は、同実施の形態において用いられている雌ねじ部材の正面図である。
【図７】図７は、図６のＸ−Ｘ線に沿う断面図である。
【図８】図８は、雌ねじ部材により支柱を固定部材に固定する方法を説明するための一部省略断面図である。
【図９】図９は、この発明の第２実施の形態の一部を省略して示す断面図である。
【図１０】図１０は、この発明の第３実施の形態の一部を省略して示す断面図である。
【図１１】図１１は、この発明の第４実施の形態の一部を省略して示す断面図である。
【図１２】図１２は、この発明の第５実施の形態の要部を示す断面図である。
【図１３】図１３は、図１２のＸ部の拡大図である。
【図１４】図１４は、この発明の第６実施の形態の要部を示す断面図である。
【図１５】図１５は、図１４のＸ部の拡大図である。
【発明を実施するための形態】
【００１０】
以下、この発明を実施するための最良の形態を、図面を参照して説明する。
図１〜図８は、この発明の第１実施の形態を示す。この実施の形態に係るガスメータの支持装置Ａは、固定部材１、支柱２、雌ねじ部材３及び支持部材４を主な構成要素としている。
【００１１】
図４及び図５に示すように、固定部材１は、基板１１を有している。基板１１は、固定部材１を床Ｆ又は地面に固定するためのものであり、略正方形の平板状に形成されている。基板１１は、必ずしも平板状に形成する必要がなく、例えば円形の皿の上下を逆にしたような形状、その他任意の形状を採用することができる。基板１１の四隅部には、固定ボルトＴが上下に挿通されている。そして、この固定ボルトＴを床Ｆに螺合させて締め付けることにより、基板１１が床Ｆに固定されている。
【００１２】
基板１１の上面の中央部には、固定筒部１２が設けられている。固定筒部１２は、円筒状をなしており、その軸線を鉛直方向に向けた状態で基板１１に立設固定されている。固定筒部１２の上端部は、開口させられている。固定筒部１２の外周面の上端部には、下方へ向かって拡径するテーパ雄ねじ部（ねじ部）１３が形成されている。
【００１３】
固定筒部１２の上端部には、複数のスリット１４が形成されている。スリット１４は、固定筒部１２の径方向にはその周壁部を外周面から内周面まで横断しており、上下方向には固定筒部１２の上端面からテーパ雄ねじ部１３を越えて下方へ所定の長さをもって延びている。複数のスリット１４は、固定筒部１２の周方向へ等間隔をもって配置されている。このような複数のスリット１４が形成されることにより、テーパ雄ねじ部１３を含む固定筒部１２の上端部が径方向へ弾性的に拡縮径可能になっている。
【００１４】
スリット１４は、必ずしも固定筒部１２の上端面から形成する必要がなく、固定筒部１２の上端面から若干下方へ離間した箇所から下方へ向かって形成してもよい。このようにした場合には、固定筒部１２の上端部のうち、スリット１４の長手方向の中央部に位置する部分が径方向へ弾性的に拡縮径可能になる。そこで、このような場合には、テーパ雄ねじ部１３がスリット１４の長手方向の中央に位置するように配置される。
【００１５】
支柱２は、図２に示すように、断面円形のパイプからなるものであり、一定の外径を有している。そして、支柱２の下端部が固定筒部１２に挿入されている。支柱２は、必ずしも全長にわたって一定の外径にする必要がなく、固定筒部１２に挿入される下端部とそれより上側の部分とで異なる外径にしてもよい。支柱２の固定筒部１２に挿入される下端部は、固定筒部１２に容易に挿入し得る範囲においてできる限り大径にすることが望ましく、少なくとも固定筒部１２の上端部が弾性的に縮径することにより、固定筒部１２の内周面が支柱２の外周面に環状に押圧接触することができるような外径を有するものとされる。支柱２は、中空のパイプを用いることなく、中実であってもよい。ただし、支持装置Ａを軽量化してその搬送費の軽減等を図るためには、中空のものを採用することが望ましい。
【００１６】
上記雌ねじ部材３は、図６及び図７に示すように、円筒状をなしており、その内部には、支柱２の固定筒部１２から上方へ突出部した部分が相対回転可能に、かつ上下方向へ相対移動可能に挿通されている。雌ねじ部材３の内周面の下端部及び上端部には、雌ねじ部材３の上下方向における中央側から外側（下側及び上側）へ向かってそれぞれ拡径するテーパ雌ねじ部３１，３２がそれぞれ形成されている。このテーパ雌ねじ部３１，３２は、同一のねじ寸法を有しており、いずれもテーパ雄ねじ部１３に螺合可能である。したがって、雌ねじ部材３は、上下を図示の状態と逆の状態にしたとしても固定筒部１２に螺合可能である。ただし、雌ねじ部材３は、必ずしもこのように形成する必要がなく、テーパ雌ねじ部３２については省略してもよい。
【００１７】
雌ねじ部材３の外周面には、上下方向へ延びる突条３３が一対形成されている。一対の突条３３，３３は、周方向へ１８０°離れて配置されている。各突条３３は、ねじ回し工具（図示せず）の先端部を係合させるためのものであり、突条３３に係合したねじ回し工具によって雌ねじ部材３を正逆方向へ回転させることができる。雌ねじ部材３の外周面には、一対の突条３３，３３に代えて、六角形のスパナ掛け部、その他のねじ回し工具を係合させるための係合部を形成してもよい。
【００１８】
テーパ雌ねじ部３１をテーパ雄ねじ部１３に螺合させて締め付けると、両ねじ部３１，１３のテーパ作用により、固定筒部１２の上端部が径方向内側に向かって押圧される。この押圧力によって固定筒部１２の上端部が縮径される。その結果、固定筒部１２の上端部内周面が支柱２の下端部外周面に対し、スリット１４が形成された部分を除き、全周にわたって環状に押圧接触させられる。しかも、固定筒部１２の内周面は、その上端縁が支柱２の外周面に接触した後、固定筒部１２の上端縁から下側に続く部分が弾性変形することにより、上端縁から下側の部分も支柱２の外周面に接触する。つまり、固定筒部１２の上端部は、支柱２の外周面に対し上下方向へ所定の長さをもって押圧接触する。この結果、固定筒部１２の上端部内周面は、支柱２の外周面に対して環状に、しかも上下方向へ所定の長さをもって押圧接触する。したがって、支柱２が固定筒部１２に強固に固定される。これは、テーパ雌ねじ部３２をテーパ雄ねじ部１３に螺合させた場合も同様である。これから明らかなように、この支持装置Ａにおいては、テーパ雄ねじ部１３とテーパ雌ねじ部３１（３２）とによって固定機構が構成されている。
【００１９】
支持部材４は、基部４１と可動部４２とを有している。基部４１は、支柱２の上端部にＵボルト５，５によって固定されている。可動部４２は、基部４１の上面に前後方向へ位置調節可能に載置されている。可動部４２は、ボルト４３によって基部４１に固定されている。可動部４２は、基部４１に対して移動不能にしてもよく、さらに基部４１に一体に形成してもよい。
【００２０】
可動部４２には、上流側接続管４４及び下流側接続管４５が固定されている。上流側及び下流側接続管４４，４５は、いずれも逆「Ｕ」字状をなしており、左右方向へ互いに離間して配置されている。上流側接続管４４の下流側の端部及び下流側接続管４５の上流側の端部（いずれも、図２において左側の端部）は、可動部４２の前端部に固定されている。しかも、上流側接続管４４の下流側の端部には、ガスメータＭのガス導入口（図示せず）が接続ナット４６によって接続固定され、下流側接続管４５の上流側の端部には、ガスメータＭのガス導出口（図示せず）が接続ナット４７によって接続固定されている。これにより、ガスメータＭが支持装置Ａによって支持されている。
【００２１】
上流側接続管４４の上流側端部（図２において右側の端部）には、フレキシブルガス管からなる一次側ガス管Ｇ１の下流側の端部が周知の継手６を介して接続されている。一次側ガス管Ｇ１の上流側端部は、元栓（図示せず）に接続されている。したがって、元栓を開弁すると、ガスが一次側ガス管Ｇ１及び上流側接続管４４を介してガスメータＭに流入する。下流側接続管４５の下流側の端部には、フレキシブルガス管からなる二次側ガス管Ｇ２の上流側の端部が継手６を介して接続されている。二次側ガス管Ｇ２の下流側の端部は、ガス機器（図示せず）に接続されている。したがって、ガスメータＭに流入したガスは、ガスメータＭにおいて流量が計測された後、下流側接続管４５及び二次側ガス管Ｇ２を介してガス機器に供給される。
【００２２】
上記構成を有するガスメータの支持装置Ａにおいては、雌ねじ部材３を固定筒部１２に螺合させて締め付けると、固定筒部１２の上端部内周面が支柱２の外周面に対しスリット１４が形成された部分を除き、環状に、しかも上下方向へ所定の長さをもって押圧接触させられる。したがって、支柱２を固定筒部１２に強固に固定することができ、支柱２が傾斜することを防止することができる。よって、ガスメータＭの流量計測に誤差が生じることを防止することができる。
【００２３】
次に、この発明の他の実施の形態を説明する。なお、以下の実施の形態については、上記第１実施の形態と異なる構成についてのみ説明することとし、上記第１実施の形態と同様な構成部分には同一符号を付してその説明を省略する。
【００２４】
図９は、この発明の第２の実施の形態を示す。この実施の形態においては、雌ねじ部材３にテーパ雌ねじ部３１，３２に代えて、ストレート雌ねじ部（ねじ部）３４，３５がそれぞれ形成されている。ストレート雌ねじ部３４，３５は、互いに同一のねじ寸法を有している。そこで、ストレート雌ねじ部３４についてのみ説明すると、ストレート雌ねじ部３４は、その全長にわたって一定のピッチ円径を有している。ストレート雌ねじ部３４のピッチ円径は、テーパ雄ねじ部１３の軸線方向（上下方向）の中間部におけるピッチ円径とほぼ同一に設定されている。しかも、ストレート雌ねじ部３４のピッチは、テーパ雄ねじ部１３のピッチと同一に設定されている。したがって、ストレート雌ねじ部３４は、少なくともその下端部がテーパ雄ねじ部１３に螺合可能であり、両ねじ部１３，３４を螺合させて雌ねじ部材３を締め付けると、固定筒部１２の上端部が径方向内側へ向かって縮径させられ、固定筒部１２の上端部内周面が支柱２の外周面に押圧接触させられる。したがって、この第２実施の形態においては、テーパ雄ねじ部１３及びストレート雌ねじ部３４（３５）によって固定機構が構成されており、この固定機構により支柱２が固定筒部１２に強固に固定される。
【００２５】
図１０は、この発明の第３実施の形態を示す。この実施の形態においては、固定筒部１２の上端部に、テーパ雄ねじ部１３に代えて一定のピッチ円径を有するストレート雄ねじ部（ねじ部）１５が形成されている。ストレート雄ねじ部１５のピッチ円径は、テーパ雌ねじ部３１（３２）の軸線方向の中間部におけるピッチ円径とほぼ同一であり、ストレート雄ねじ部１５のピッチは、テーパ雌ねじ部３１（３２）のピッチと同一に設定されている。したがって、ストレート雄ねじ部１５の少なくとも上端部は、テーパ雌ねじ部３１（３２）に螺合可能であり、両ねじ部１５，３１（３２）を螺合させて雌ねじ部材３を締め付けると、固定筒部１２の上端部が縮径される。これにより、支柱２が固定筒部１２に固定される。この第３実施の形態においては、ストレート雄ねじ部１５及びテーパ雌ねじ部３１（３２）によって固定機構が構成されている。
【００２６】
図１１は、この発明の第４実施の形態を示す。この実施の形態においては、固定筒部１２の上端部にストレート雄ねじ部１５が形成されている。一方、雌ねじ部材３の下端部内周面には、ストレート雄ねじ部１５に螺合するストレート雌ねじ部３４が形成されている。さらに、ストレート雌ねじ部３４から上側に続く雌ねじ部材３の内周面には、テーパ面（傾斜面）３６及びストレート孔部３７が順次形成されている。テーパ面３６及びストレート孔部３７は、その軸線をストレート雌ねじ部３４の軸線と一致させて配置されている。テーパ面３６は、上方へ向かって縮径している。したがって、テーパ面３６の内径は、その下端において最大であり、最大内径は、ストレート雌ねじ部３４の谷の径と同等に設定されている。テーパ面３６の内径は、その上端において最小であり、最小内径は、固定筒部１２の内径と同等以下で、かつ支柱２の外径より若干大径に設定されている。ストレート孔部３７の内径は、テーパ面３６の最小内径と同一に設定されている。雌ねじ部材３の外周面には、突条３３に代えてスパナ掛け部等の係合部（図示せず）が形成されている。この係合部にスパナ等を係合させることにより、雌ねじ部材３を回転させることができる。
【００２７】
ストレート雄ねじ部１５にストレート雌ねじ部３４を螺合させて雌ねじ部材３を所定の位置まで下方へ移動させると、テーパ面３６が固定筒部１２の上端面に接触する。その状態で雌ねじ部材３をさらに下方へねじ込むと、テーパ面３６が固定筒部１２の上端部をその径方向内側に押圧して縮径させる。この結果、固定筒部１２の上端部内周面が支柱２の外周面に環状に押圧接触させられ、支柱２が固定筒部１２に強固に固定される。これから明らかなように、この実施の形態においては、ストレート雄ねじ部１５、ストレート雌ねじ部３４及びテーパ面３６によって固定機構が構成されている。
【００２８】
図１２及び図１３は、この発明の第５実施の形態を示す。この実施の形態においては、固定筒部１２が基板１１と別体に形成されており、基板１１の上面の中央部に固定筒部１２の下端部が溶接等の固定手段によって固定されている。勿論、固定筒部１２は、前述した各実施の形態と同様に、基板１１と一体に形成してもよい。
【００２９】
固定筒部１２には、座金７が挿入されている。座金７は、基板１１に溶接、接着等の固定手段によって固定されている。座金７は、円板状をなしており、その外径は、固定筒部１２の内径とほぼ同一に設定されている。座金７の上面の外周部には、テーパ部７１が形成されている。テーパ部７１は、その軸線を固定筒部１２の軸線と一致させた状態で配置されている。テーパ部７１は、径方向の外側から内側へ向かうにしたがって小径になっており、テーパ部７１の最小径は、支柱２の内径より小径になっている。したがって、支柱２を固定筒部１２に挿入すると、図１３に示すように、支柱２の下端面の内周縁がテーパ部７１に対しその径方向の中間部において接触する。すると、テーパ部７１の求心作用により、支柱２の下端部の軸線がテーパ部７１の軸線と一致させられ、ひいては固定筒部１２の軸線と一致させられる。これから明らかなように、この実施の形態においては、テーパ部７１及び支柱２の内周面の下端縁とによって求心機構が構成されている。
【００３０】
前述したように、支柱２の下端部から所定距離だけ上方に離間した箇所においては、テーパ雄ねじ部１３とテーパ雌ねじ部３１とからなる固定機構により、支柱２の軸線と固定筒部１２の軸線とが一致させられている。しかも、この実施の形態においては、支柱２の下端部の軸線が固定筒部１２の軸線と一致させられている。したがって、支柱２の軸線を固定筒部１２の軸線とより一層正確に一致させることができ、支柱２を鉛直に立設させることができる。
【００３１】
なお、この実施の形態においては、支柱２の固定筒部１２への固定機構としてテーパ雄ねじ部１３とテーパ雌ねじ部３１とからなる固定機構が採用されているが、前述した他の固定機構を採用してもよい。これは、次に述べる第６実施の形態においても同様である。
【００３２】
図１４及び図１５は、この発明の第６実施の形態を示す。この実施の形態においては、基板１１にテーパ部１６が直接形成されている。このテーパ部１６は、上記第５実施の形態のテーパ部７１に代わるものであり、その軸線を固定筒部１２の軸線と一致させて配置され、テーパ部７１と同一の寸法を有している。したがって、テーパ部１６の中間部には、支柱２の下端面の内周縁が環状に接触する。これによって、支柱２の下端部の軸線が固定筒部１２の軸線と一致させられる。
【００３３】
テーパ部１６は、基板１１を絞り加工、あるいはバーリング加工することによって形成することができる。そのような加工を容易にするために、基板１１には、テーパ部１６と軸線を一致させた貫通孔１７を形成しておくことが望ましい。勿論、貫通孔１７の内径は、テーパ部１６の最小径より若干小径に設定される。
【００３４】
なお、この発明は、上記の実施の形態に限定されるものでなく、その要旨を逸脱しない範囲において各種の変形例を採用することができる。
例えば、上記第４の実施の形態では、雌ねじ部材３にテーパ面３６が形成されているが、このテーパ面３６に代えて、互いの間隔が下方へ向かって広がるように傾斜する複数の傾斜面を雌ねじ部材３の周方向へ等間隔に形成してもよい。
また、上記の実施の形態においては、テーパ面３６を雌ねじ部材３に形成しているが、固定筒部１２の外周面に下方へ向かって拡径するテーパ面を形成してもよい。その場合には、テーパ面がストレート雄ねじ部１５に続いてその下側に形成される。そして、テーパ面は、雌ねじ部材３の下端面に突き当たることにより、雌ねじ部材３の固定筒部１２へのねじ込みに伴って固定筒部１２の上端部を縮径させる。
さらに、上記の実施の形態においては、固定部材１の基板１１にテーパ部７１，１６を形成し、このテーパ部７１，１６を支柱２の内周面の下端縁に接触させているが、支柱２の内周面の下端開口部に軸線を支柱２の軸線と一致させたテーパ面（テーパ孔）を形成する一方、基板１１の軸線を固定筒部１２の軸線と一致させた円板を固定し、この円板の上面の上端縁を支柱２のテーパ面に接触させるようにしてもよい。
【産業上の利用可能性】
【００３５】
この発明に係るガスメータの支持装置は、例えば集合住宅のパイプシャフト内にガスメータを設置する際に利用することができる。
【符号の説明】
【００３６】
Ａ    ガスメータの支持装置
Ｍ    ガスメータ
１    固定部材
２    支柱
３    雌ねじ部材
４    支持部材
１２    固定筒部
１３    テーパ雄ねじ部（ねじ部）
１４    スリット
１５    ストレート雄ねじ部（ねじ部）
１６    テーパ部（求心機構）
３１    テーパ雌ねじ部（ねじ部）
３２    テーパ雌ねじ部（ねじ部）
３４    ストレート雌ねじ部（ねじ部）
３５    ストレート雌ねじ部（ねじ部）
３６    テーパ面（傾斜面）
７１    テーパ部（求心機構）
【図１０】
0005684538.tif 000002
【図１】
0005684538.tif 000003
【図２】
0005684538.tif 000004
【図３】
0005684538.tif 000005
【図４】
0005684538.tif 000006
【図５】
0005684538.tif 000007
【図６】
0005684538.tif 000008
【図７】
0005684538.tif 000009
【図８】
0005684538.tif 000010
【図９】
0005684538.tif 000011
【図１１】
0005684538.tif 000012
【図１２】
0005684538.tif 000013
【図１３】
0005684538.tif 000014
【図１４】
0005684538.tif 000015
【図１５】
0005684538.tif 000016